(57)【要約】【課題】  本発明は、使用時、使用者が簡単に姿勢を変更することができ、按摩する経穴や力加減が自由に調整でき、また、身体の正面及び側面にある経穴も簡単に按摩できる按摩装置の提供を目的とする。【解決手段】  正面が地面から立ち上がって直立面となっているフレームと、前記フレームの正面から突出している上、上下動、且つ、その少なくとも先端部が自己回転できるように構成されているマッサージ棒と、からなっていて、前記マッサージ棒で使用者の直立部における所定部位をマッサージすることができる按摩装置を提供する。【選択図】図２
2011200535.tif 000002
【特許請求の範囲】
【請求項１】
正面が地面から立ち上がって直立面となっているフレームと、
前記フレームの正面から突出しおり、上下動でき、且つ、少なくとも先端部が自己回転できるように構成されているマッサージ棒と、からなっていて、
前記マッサージ棒で使用者の直立部における所定部位をマッサージすることができることを特徴とする按摩装置。
【請求項２】
前記マッサージ棒は、その先端部が偏心回転できるように設置されていることを特徴とする請求項１に記載の按摩装置。
【請求項３】
前記フレームは少なくとも一本の立柱からなっており、また、前記マッサージ棒は前記立柱の正面から突出するように設置されていることを特徴とする請求項２に記載の按摩装置。
【請求項４】
前記立柱に、移動ユニットが設置されており、
前記移動ユニットは、一対の縦向レールと、前記一対の縦向レールに沿って上下動できるように設置されている移動座とからなっており、
また、前記マッサージ棒は、前記移動座の正面から突出するように設置されていることを特徴とする請求項３に記載の按摩装置。
【請求項５】
前記フレームに、さらに、赤外線加熱手段が付設されており、
前記赤外線加熱手段は、前記フレームに設置されている赤外線加熱器と、前記赤外線加熱器の後に配置されているファンと、からなっており、
また、前記赤外線加熱器は、前記マッサージ棒の前方に向かって赤外線を投射することができるように配置構成されていることを特徴とする請求項２に記載の按摩装置。
【請求項６】
前記マッサージ棒は、前記フレームの正面において左右動もできるように構成されていることを特徴とする請求項２に記載の按摩装置。
【請求項７】
前記フレームは、
互いに並立している二本の立柱と、
この二本の立柱の間に掛け渡されている上、上下動できるように設置されている横梁と、からなっており、
且つ、前記マッサージ棒は、前記横梁の正面から突出するように設置されていることを特徴とする請求項６に記載の按摩装置。
【請求項８】
前記横梁には、移動ユニットが設置されており、
前記移動ユニットは、一対の横向レールと、前記一対の横レールに沿って左右動できるように設置されている移動座とからなっており、
また、前記マッサージ棒は、前記移動座の正面から突出するように設置されていることを特徴とする請求項７に記載の按摩装置。
【請求項９】
前記立柱は、等身大程度の高さを有することを特徴とする請求項３または請求項８に記載の按摩装置。
【発明の詳細な説明】
【技術分野】
【０００１】
本発明は、按摩装置に関し、特に、その按摩の部位や力加減が患者や使用者によって自由に変更できる按摩装置である。
【背景技術】
【０００２】
経穴按摩は中国古来より伝われてきた民俗療法であり、人体の表面に走る経絡に点在する経穴に適当な力を加えて刺激することにより、病気を治療する方法である。従来は、手や指で行うが、マッサージ棒や他の手道具を使用して行うこともある。また、手道具の代わりに、そのマッサージ棒などの按摩手段・施力手段が電気や油圧の動力を借りて移動や按摩する按摩装置も使用されている。
【０００３】
従来の按摩装置は、通常、座った状態で使用されるものであり、座席における背もたれに配置されている按摩手段で背面から患者の首や、両肩、背中、腰、尻、腿を押したり揉んだりして按摩する（特許文献１参照）。
【先行技術文献】
【特許文献】
【０００４】
【特許文献１】台湾実用新案公告第４８９６６０号公報
【発明の概要】
【発明が解決しようとする課題】
【０００５】
しかしながら、上記従来の按摩装置の使用は、人体の背面しか按摩できないので、背面以外の正面、側面などにある経穴を按摩できず、効果がかなり限られる。また、座った状態で使用されるので、体型の違いに対応するように使用者が姿勢を変化させることもできず、更に、背面の経穴であっても、按摩できない箇所があり、また、力加減が数段階に調整できるように構成されていても、思ったように按摩することができないことがよくある、という問題点がある。
【０００６】
これらの問題点に鑑みて、本発明は、使用者が簡単に姿勢を変化させることができ、按摩する経穴や力加減が自由に調整でき、また、身体の正面及び側面にある経穴も簡単に按摩できる按摩装置の提供を目的とする。
【課題を解決するための手段】
【０００７】
上記目的を達成するために、本発明は、研究に研究を重ねた結果、立った状態で使用できるようにすれば、使用者が姿勢を変化させることができ、経穴にかかる力加減を調整することが容易な上、身体正面及び側面の経穴を自由に按摩することができることを発見し、それを利用して下記発明を完成した。
【０００８】
即ち、本発明は、正面が地面から立ち上がって直立面となっているフレームと、前記フレームの正面から突出している上、上下動でき、且つ、少なくともその先端部が自己回転できるように構成されているマッサージ棒と、からなっていて、前記マッサージ棒で使用者の直立部における所定部位をマッサージすることができる按摩装置を提供する。  
前記マッサージ棒は、その先端部が偏心回転できるように設置されているものが好ましい。
【０００９】
前記フレームの実施形態としては、一本の立柱からなっており、また、前記マッサージ棒は前記立柱の正面から突出するように設置されているものや、互いに並立している二本の立柱と、この二本の立柱の間に掛け渡されている上、上下動できるように設置されている横梁と、からなっており、且つ、前記マッサージ棒は前記横梁の正面から突出するように設置されているものが挙げられる。前者の形態である場合、前記立柱には、移動ユニットが設置されており、該移動ユニットは、一対の縦向レールと、前記一対の縦向レールに沿って上下動できるように設置されている移動座とからなっており、また、前記マッサージ棒は、前記移動座の正面から突出するように設置されていることが好ましく、後者の形態である場合、前記横梁には、移動ユニットが設置されており、前記移動ユニットは、一対の横向レールと、前記一対の横レールに沿って左右動できるように設置されている移動座とからなっており、また、前記マッサージ棒は、前記移動座の正面から突出するように設置されていることが好ましい。
【００１０】
即ち、前者の形態におけるマッサージ棒は、前記フレームの正面において上下動しかできないが、後者の形態におけるマッサージ棒は、前記フレームの正面において上下動も左右動もできる。  
そして、前者の形態であっても、後者の形態であっても、立柱は、等身大程度の高さを有することが好ましい。
【発明の効果】
【００１１】
前記構成による本発明の按摩装置は、マッサージ棒が上下動乃至左右動することができる上、身体の背面の按摩はもちろん、患者や使用者が、マッサージ棒の位置や力に応じて姿勢を自由に変えることができるので、身体の正面、側面にある経穴を按摩すること、及び、経穴にかかる力を調整することができる。
【００１２】
また、本発明の按摩装置は、その立柱の高さ、特に、そのマッサージ棒の上下動範囲が等身大程度である場合、前記効果を最も発揮することができる。  
なお、本発明の按摩装置を使用する時、立った状態はもちろん、場合によって座った状態や横になった状態で使用しても良い。
【図面の簡単な説明】
【００１３】
【図１】本発明の実施例１の按摩装置の斜視図である。
【図２】図１の側面図である。
【図３】実施例１の按摩装置を立った状態で使用する場合の説明図である。
【図４】実施例１の按摩装置を座った状態で使用する場合の説明図である。
【図５】本発明の実施例２の按摩装置の側面図である。
【図６】本発明の実施例３の按摩装置の上面図である。
【図７】本発明の実施例４の按摩装置の斜視図である。
【図８】図７のＶＩＩＩ−ＶＩＩＩ線に沿って裁断した部分断面図である。
【図９】図７のＩＸ−ＩＸ線に沿って裁断した部分断面図である。
【図１０】図７の後方から見た部分拡大図である。
【図１１】本発明の実施例５の按摩装置の斜視図である。
【発明を実施するための形態】
【００１４】
以下、図１〜１２を参照しながら、本発明の実施例を説明する。  
なお、以下の説明において、略同一の機能および構成を有する一部の構成要素については、同一符号を付し、重複説明は必要な場合にのみ行う。
【００１５】
［実施例１］  
図１に示すように、本実施例１の按摩装置は、正面が地面から立ち上がって直立面となっているフレーム１と、フレーム１に設置されている移動ユニット２と、移動ユニット２に設置されているマッサージ棒３とからなっている。
【００１６】
図２に示すように、フレーム１は、等身大以上の高さを有し、且つ、正面のみが開放された、一本の中空立柱１０１からなっている。
【００１７】
移動ユニット２は、中空立柱１０１の左右二つの内壁面１０２にそれぞれ設置されている一対の等身大程度の高さを有する縦向レール２１と、該一対の縦向レール２１に沿って上下動できるように設置されている移動座２３とからなっている。図面を更に詳しくみると、移動座２３は、その左右両端に一対のブロック２３１が取り付けられており、一対のブロック２３１の外側面にそれぞれ縦向溝２３２が形成されており、そして、一対の縦向レール２１が該一対の縦向溝２３２に嵌合しているので、フレーム１の正面に沿って等身大の上下範囲内で案内され得るようになっている。
【００１８】
マッサージ棒３は、移動座２３からフレーム１の正面から突出して延伸している延伸部３２と、延伸部３２の先端に、延伸部３２に対して偏心回転できるように設置されている先端部３１とからなっている。先端部３１の偏心回転は、移動座２３の背面２３０に取り付けられているモーター３３の駆動によって行われる。
【００１９】
そして、図２に示すように、移動ユニット２は、さらに、連動手段２４を備えている。この連動手段２４は、フレーム１に取り付けられている複数の歯車２５１，２５２，２５３，２５４の中の一つ２５１がモーター２０に駆動可能になっている歯車列２５と、歯車列２５に上下無端回転可能に掛装されている歯付きベルト２２とからなっている。また、移動座２３は、歯付きベルト２２の前記無端回転ループに組み込まれており、即ち、図示のように、上下両端で歯付きベルト２２と連結されている。それによって、モーター２０が起動されると、歯付きベルト２２は移動座２３を上下動させ、移動座２３乃至マッサージ棒３を共に、一対の縦向レール２１に沿って移動させることができる。
【００２０】
上記構成による本実施例１の按摩装置は、正面が直立面となっている上、マッサージ棒３が上下動できる移動座２３に設置されているので、使用者の直立部における所定部位、即ち、マッサージ棒３の上下動に沿う使用者の所定部位を按摩することができる上、使用者が容易に姿勢を変更することができ、按摩する経穴や力加減を自由に調整でき、また、身体の正面及び側面にある経穴も簡単に按摩できる。
【００２１】
本発明の按摩装置を使用する場合、図３に示すように、フレーム１の正面に立った状態で使用しても良いが、図４に示すように、付設した椅子６に座った状態で使用しても良い。なお、図３の場合、使用者の正面のほぼ全身がマッサージ棒３の上下動範囲に入って前記直立部となり、図４の場合、使用者の背面の頭部から腰までがマッサージ棒３の上下動範囲に入って前記直立部となり、また、使用者が足を上げて足裏を前記直立部にしても良い。
【００２２】
そしてまた、図３に示すように、本実施例の按摩装置は、マッサージ棒３が等身大程度の上下動範囲を有するので、使用者の姿勢変更によって全身にわたって経穴マッサージができ、按摩効果を更に発揮することができる。
【００２３】
［実施例２］  
図５に示すように、本実施例２の按摩装置は、その構成が実施例１の按摩装置の構成と似ているため、以下はその相違点のみを説明する。  
移動ユニット２は、さらに、ネジ棒２６を備えている。ネジ棒２６は、モーター２０により回転駆動可能にフレーム１に取り付けられている上、一対の縦向レール２１と平行になるように設置されている。また、移動座２３の背面２３０には、ネジ穴付き板２７が形成されており、ネジ穴付き板２７は、そのネジ穴２７１でネジ棒２６に取り付けられている。
【００２４】
上記構成により、ネジ棒２６がモーター２０の駆動によって回転されると、ネジ穴付き板２７は一対の縦向レール２１に沿って移動し、移動座２３乃至マッサージ棒３を共に移動させることができる。
【００２５】
［実施例３］  
図６に示すように、本実施例３の按摩装置は、そのフレーム１の正面の両側が、内側へ向かう一対の斜面１０３となり、一対の斜面１０３にそれぞれ赤外線加熱手段７が付設されているものである。
【００２６】
各赤外線加熱手段７は、フレーム１の斜面１０３に配置されている直立型赤外線加熱器７１と、赤外線加熱器７１の後に配置されている放熱ファン７２とからなっており、該一対の赤外線加熱器７１でマッサージ棒（３）前方に向かって赤外線を投射することができるので、使用者の直立部における所定部位を暖めて血液循環を向上させることにより、按摩効果を向上させることができる。
【００２７】
［実施例４］  
図７に示すように、本実施例４の按摩装置は、そのフレーム１が、主として、等身大以上の高さを有する上、並立している二本の立柱１１１，１１２と、この二本の立柱の間に掛け渡され、共に上下動できるように設置されている二本の横梁１２１，１２２とからなっている。
【００２８】
図７及び図８に示すように、フレーム１における二本の立柱１１１，１１２は、それぞれの正面に、上下の方向に沿っていて等身大程度の高さを有する縦溝１１３が形成されている。
【００２９】
二本の横梁１２１，１２２の、それぞれの左端部１２１１，１２２１は、左ブロック１２３と連結されており、それぞれの右端部１２１２，１２２２は、右ブロック１２４と連結されており、また、左右両ブロック１２３，１２４は、それぞれの背面に、二本の立柱１１１，１１２における縦溝１１３に挿入する上、縦溝１１３に案内され得る挿入部１２３０、１２４０が形成されているので、二本の横梁１２１，１２２は、左右両ブロック１２３，１２４を介してフレーム１の正面に沿って等身大程度の上下範囲内に案内され得るようになっている。
【００３０】
また、図７に示すように、フレーム１は、さらに、連動手段１３を備えている。この連動手段１３は、フレーム１に取り付けられている複数の歯車１４１，１４２，１４３，１４４，１４５，１４６からなっている一対の歯車列１４ａ，１４ｂと、一対の歯車列１４ａ，１４ｂにそれぞれ上下無端回転可能に掛装されている二つの歯付きベルト１５１，１５２とからなっている。
【００３１】
詳細には、図７に示すように、複数の歯車１４１，１４２，１４３，１４４，１４５，１４６は、左右二つの歯車列１４ａ、１４ｂとなっている。歯車列１４ａは、複数の歯車１４１，１４２，１４３，１４４からなっている左列であり、歯車列１４ｂは，複数の歯車１４５，１４６からなっている右列である。そして、歯車列１４ｂの中の歯車１４６は、歯車列１４ａの中の歯車１４２に連動されており、歯車列１４ａの中の歯車１４１は、モーター１６に連動され、駆動可能になっている。
【００３２】
また、二本の横梁１２１，１２２は、歯付きベルト１５１，１５２の前記無端回転ループに組み込まれている。それによって、モーター１６が起動されると、歯付きベルト１５１，１５２は二本の横梁１２１，１２２を上下動させることができる。
【００３３】
そして、図示のように、二本の横梁１２１，１２２は、いずれも、その正面に横溝１２５が長さ方向に沿うように形成されている。  
図８及び図９に示すように、移動ユニット４は、それぞれ二本の横梁１２１，１２２における横溝１２５に嵌め込まれている一対の横向レール４１と、左右両ブロック１２３，１２４の間に一対の横向レール４１と平行になるように掛け渡されているネジ棒４２と、背面４３０に形成された複数のスライド槽４３１で横向レール４１を挟み、それに沿って左右移動可能になっている移動座４３と、からなっている。
【００３４】
また、図９及び図１０に示すように、ネジ棒４２には、中央部４４１の外径のみが大径になった雌ネジ付き管４４がモーター４５によって回転できるように設置されており、移動座４３は、その背面４３０に、さらに、二つの穴付き板４３２，４３３が左右並ぶように形成されている上、該二つの穴付き板４３２，４３３がそれぞれ、ベアリング８を介してネジ穴付き管４４の両端部４４２，４４３に取り付けられている。
【００３５】
さらに、図示のように、雌ネジ付き管４４は、その中央部４４１が移動座４３における二つの穴付き板４３２，４３３と当接するように構成されている。  
このような構造により、雌ネジ付き管４４は、モーター４５の駆動によって回転されると、ネジ棒４２に沿って移動し、その中央部４４１で移動座４３における二つの穴付き板４３２，４３３のいずれかを押動し、移動座４３乃至マッサージ棒３を一対の横向レール４１に沿って移動させることができる。
【００３６】
上記構成による本実施例４の按摩装置は、そのマッサージ棒３が上下動できるのみでなく、左右動もできるので、使用者が頻繁に姿勢を変更しなくてもよくなり、つまり、同一姿勢で按摩できる経穴が多くなり、使用時の利便性が向上する。
【００３７】
［実施例５］  
図１１に示すように、本実施例５の按摩装置は、その構成が実施例４の按摩装置の構成と似ているため、以下はその相違点のみを説明する。  
本実施例５におけるフレーム１は、一対の立柱１１１，１１２と平行になるように設置されている縦棒１７と、モーター１６によって回転駆動可能に取り付けられている上、一対の立柱１１１，１１２と平行になるように設置されている縦ネジ棒１８と、をさらに備えている。
【００３８】
本実施例５における二本の横梁１２１，１２２は、その右ブロック１２４に形成されている穴付き平板１２４１を介して縦棒１７と連結し、その左ブロック１２３に形成されているネジ穴付き平板１２３１を介して縦ネジ棒１８と連動するようになっている。
【００３９】
それにより、縦ネジ棒１８は、モーター１６の駆動によって回転されると、ネジ穴付き平板１２３１は縦ネジ棒１８に沿って移動し、左ブロック１２３乃至二本の横梁１２１，１２２を縦棒１７、縦ネジ棒１８に沿って移動させることができる。
【産業上の利用可能性】
【００４０】
上述したように、本発明の按摩装置は、地面近くの経穴まで按摩をすることができるので、使用者が立った状態でマッサージを受けることができ、按摩をしたい箇所に応じて使用者が姿勢を簡単に変更するができ、経穴にかかる力も姿勢を変更することによって自由に調整できる。
【符号の説明】
【００４１】
１…フレーム、１０１…中空立柱、１０２…内壁面、１０３…一対の斜面、１１１，１１２…二本の立柱、１１３…縦溝、１２１，１２２…二本の横梁、１２１１，１２２１…左端部、１２１２，１２２２…右端部、１２３…左ブロック、１２３０…挿入部、１２３１…穴付き平板、１２４…右ブロック、１２４０…挿入部、１２４１…穴付き平板、１２５…横溝、１３…連動手段、１４ａ，１４ｂ…一対の歯車列、１４１〜１４６…歯車、１５１，１５２…歯付きベルト、１６…モーター、１７…縦棒、１８…縦ネジ棒、２…移動ユニット、２０…モーター、２１…一対の縦向レール、２２…歯付きベルト、２３…移動座、２３０…背面、２３１…一対のブロック、２３２…一対の縦向溝、２４…連動手段、２５１〜２５４…歯車、２５…歯車列、２６…ネジ棒、２７…ネジ穴付き板、２７１…ネジ穴、３…マッサージ棒、３１…先端部、３２…延伸部、３３…モーター、４…移動ユニット、４１…一対の横向レール、４２…ネジ棒、４３…移動座、４３０…背面、４３１…スライド槽、４３２，４３３…穴付き板、４４…雌ネジ付き管、４４１…中央部、４４２，４４３…両端部、４５…モーター、６…椅子、７…赤外線加熱手段、７１…赤外線加熱器、２…放熱ファン、８…ベアリング。
【図１】
2011200535.tif 000003
【図２】
2011200535.tif 000004
【図３】
2011200535.tif 000005
【図４】
2011200535.tif 000006
【図５】
2011200535.tif 000007
【図６】
2011200535.tif 000008
【図７】
2011200535.tif 000009
【図８】
2011200535.tif 000010
【図９】
2011200535.tif 000011
【図１０】
2011200535.tif 000012
【図１１】
2011200535.tif 000013